(57)【特許請求の範囲】
【請求項１】
基地局からの着信信号を受信しているか否かを検出する着信検出手段と、
鳴音手段と、
振動強度を変更して振動可能な振動手段と、
筐体のグリップ部に設けられ、人体が接触しているか否かを検出する人体接触検出手段と、
前記着信検出手段により着信信号を受信していることが検出されたときには、鳴動動作が有効状態に設定されているときに前記鳴音手段を設定された音量で鳴音させると共に振動動作が有効状態に設定されているときに前記振動手段を設定された振動強度で振動させ、その状態から前記人体接触検出手段により人体が接触していることが検出されたときには、前記鳴音手段の動作を無効化すると共に前記振動手段を設定された振動強度よりも小さい振動強度で振動させ、その一方で、鳴動動作が有効状態に設定されているときに前記鳴音手段を設定された音量で鳴音させると共に振動動作が有効状態に設定されていないときに前記振動手段を振動させることなく、その状態から前記人体接触検出手段により人体が接触していることが検出されたときには、前記鳴音手段の動作を無効化すると共に前記振動手段の動作を有効化して前記振動手段を設定された振動強度よりも小さい振動強度で振動させる制御手段とを備えたことを特徴とする携帯電話機。
【請求項２】
基地局からの着信信号を受信しているか否かを検出する着信検出手段と、
音量を変更して鳴音可能な鳴音手段と、
振動強度を変更して振動可能な振動手段と、
筐体のグリップ部に設けられ、人体が接触しているか否かを検出する人体接触検出手段と、
前記着信検出手段により着信信号を受信していることが検出されたときには、鳴動動作が有効状態に設定されているときに前記鳴音手段を設定された音量で鳴音させると共に振動動作が有効状態に設定されているときに前記振動手段を設定された振動強度で振動させ、その状態から前記人体接触検出手段により人体が接触していることが検出されたときには、前記鳴音手段を設定された音量よりも小さい音量で鳴音させると共に前記振動手段を設定された振動強度よりも小さい振動強度で振動させ、その一方で、鳴動動作が有効状態に設定されているときに前記鳴音手段を設定された音量で鳴音させると共に振動動作が有効状態に設定されていないときに前記振動手段を振動させることなく、その状態から前記人体接触検出手段により人体が接触していることが検出されたときには、前記鳴音手段を設定された音量よりも小さい音量で鳴音させると共に前記振動手段の動作を有効化して前記振動手段を設定された振動強度よりも小さい振動強度で振動させる制御手段とを備えたことを特徴とする携帯電話機。
【発明の詳細な説明】
【０００１】
【発明の属する技術分野】
本発明は、例えばスピーカなどの鳴音手段ならびにバイブレータなどの振動手段を備えた携帯電話機に関する。
【０００２】
【発明が解決しようとする課題】
近年、電気通信技術の進歩に伴って、携帯電話機が広く普及している。ところで、例えば会議室、美術館、映画館など鳴音が好まれない場所で、着信して鳴音してしまった場合には、使用者は、電源を切ったり、着信音を消去するために、所定のキーを操作しなければならない。しかしながら、そのような状況でキー操作を行うことは、たいへん煩わしいものであり、また、周囲への気遣いなどから慌ててしまうことが多く、特に、映画館などの暗い場所では、誤ったキー操作をしてしまう虞がある。そして、誤って例えば「開始」キーを操作してしまうと、着信に応答してしまうことになり、そうなると、周囲に対して多大な迷惑をかけることになってしまう。
【０００３】
また、たとえ着信音を消去することができたとしても、そのような鳴音が好まれない状況では、使用者は、着信に応答することができないので、どこか別の場所に移動して、着信に応答しなければならない。ところが、その移動中に、例えば人に話し掛けられ、会話が長引いたりしてしまうと、使用者は、着信音を消去したために、着信中であることをうっかり忘れてしまう場合があり、結局、着信に応答できなくなるという虞もあった。
【０００４】
本発明は、上記事情に鑑みてなされたものであり、その目的は、鳴音が好まれない状況で鳴音した場合であっても、着信音を容易に消去したり、その音量を容易に下げたりすることができ、また、その後でも、着信していることを認識し続けることができ、それによって、使い勝手の向上を図ることができる携帯電話機を提供することにある。
【０００５】
請求項１の発明によれば、制御手段は、着信検出手段により着信信号を受信していることが検出されると、鳴動動作が有効状態に設定されているときに鳴音手段を設定された音量で鳴音させると共に振動動作が有効状態に設定されているときに振動手段を設定された振動強度で振動させ、その状態から人体接触検出手段により人体が接触していることが検出されると、鳴音手段の動作を無効化すると共に振動手段を設定された振動強度よりも小さい振動強度で振動させる。
その一方で、制御手段は、鳴動動作が有効状態に設定されているときに鳴音手段を設定された音量で鳴音させると共に振動動作が有効状態に設定されていないときに振動手段を振動させることなく、その状態から人体接触検出手段により人体が接触していることが検出されると、鳴音手段の動作を無効化すると共に振動手段の動作を有効化して振動手段を設定された振動強度よりも小さい振動強度で振動させる。
【０００６】
すなわち、例えば会議室、美術館、映画館など鳴音が好まれない状況で着信し、着信音が鳴ってしまった場合であっても、使用者は、筐体のグリップ部を握ることによって、着信音を容易に消去することができる。また、着信音を消去した後においても、振動手段が振動を開始するようになるので、使用者は、着信していることを認識し続けることができる。これにより、使い勝手の向上を図ることができる。さらに、この場合、その振動手段の振動強度は、設定された振動強度よりも小さいので、電力が無駄に消費されることはなく、消費電力の低減を図ることができる。
【０００７】
請求項２の発明によれば、制御手段は、着信検出手段により着信信号を受信していることが検出されると、鳴動動作が有効状態に設定されているときに鳴音手段を設定された音量で鳴音させると共に振動動作が有効状態に設定されているときに振動手段を設定された振動強度で振動させ、その状態から人体接触検出手段により人体が接触していることが検出されると、鳴音手段を設定された音量よりも小さい音量で鳴音させると共に振動手段を設定された振動強度よりも小さい振動強度で振動させる。
その一方で、制御手段は、鳴動動作が有効状態に設定されているときに鳴音手段を設定された音量で鳴音させると共に振動動作が有効状態に設定されていないときに振動手段を振動させることなく、その状態から人体接触検出手段により人体が接触していることが検出されると、鳴音手段を設定された音量よりも小さい音量で鳴音させると共に振動手段の動作を有効化して振動手段を設定された振動強度よりも小さい振動強度で振動させる。
【０００８】
すなわち、鳴音が好まれない状況で着信し、着信音が鳴ってしまった場合であっても、使用者は、筐体のグリップ部を握ることによって、着信音の音量を容易に下げることができると共に、振動手段の小さな振動によって着信していることを認識し続けることができる。これにより、請求項１記載のものと同様の作用効果を得ることができる。特に、この場合は、着信音が小さく鳴音しているので、着信していることをより確実に認識し続けることができる。
【００１３】
【発明の実施の形態】
以下、本発明の第１実施例について図１ないし図３を参照して説明する。
まず、携帯電話機１の全体構成を示す図２において、携帯電話機１にあって筐体２の表面側には「開始」キー３ａ、「リダイヤル」キー３ｂ、「終了」キー３ｃ、「０」〜「９」の数字キー３ｄ（図２では「３」を代表して符号を付している）、「＊」（アスタリスク）キー３ｅ、「＃」（シャープ）キー３ｆ、「コール／メモリ」キー３ｇ、「Ｆ（ファンクション）」キー３ｈ、「電源」キー３ｉ、「クリア」キー３ｊ、「アップスクロール」キー３ｋおよび「ダウンスクロール」キー３ｌが設けられてなるキー操作部３、メッセージや電話番号などを表示するディスプレイ４、マイク（送話器）５ならびに鳴音手段としてのスピーカ（受話器）６が設けられており、上部にはアンテナ７が設けられている。
【００１４】
また、上記筐体２の内部には、振動手段としてのバイブレータ８（図２参照）が配設されており、さらに、筐体２にあって下部のグリップ部２ａには、人体接触検出手段としてのタッチセンサ９を構成する一対の電極９ａおよび９ｂが設けられている。
【００１５】
次に、携帯電話機１の電気的な構成について、図１を参照して説明する。
制御手段としての制御回路１０は、マイクロコンピュータを主体として構成されており、この制御回路１０には、音声処理部１１、データ変換部１２ならびに着信検出手段としての送受信部１３が接続されていると共に、上述したキー操作部３、ディスプレイ４、バイブレータ８ならびにタッチセンサ９が接続されている。
【００１６】
また、音声処理部１１は、上述したマイク５およびスピーカ６に接続されていると共に、データ変換部１２に接続されており、そのデータ変換部１２は、送受信部１３に接続され、その送受信部１３には、上述したアンテナ７が接続されている。
【００１７】
しかして、音声処理部１１は、マイク５から与えられた受話信号を符号化することによって音声データを生成し、その音声データをデータ変換部１２に出力するようになっており、データ変換部１２は、音声処理部１１から与えられた音声データを通信データに変換し、その通信データを送受信部１３に出力するようになっている。そして、送受信部１３は、搬送波をデータ変換部１２から与えられた通信データで変調処理することにより、通信データを送信信号としてアンテナ７から基地局に送信するようになっている。
【００１８】
また、送受信部１３は、アンテナ７に基地局から受信信号として与えられた通信データを復調処理し、その復調処理された通信データをデータ変換部１２に出力するようになっていると共に、基地局から送信された着信信号を受信すると、着信検出信号を制御回路１０に与えるようになっている。データ変換部１２は、送受信部１３から与えられた通信データを音声データに変換し、その音声データを音声処理部１１に出力するようになっており、音声処理部１１は、データ変換部１２から与えられた音声データを復号化することによって送話信号を生成し、その送話信号をスピーカ６に出力するようになっている。
【００１９】
また、ディスプレイ４は、制御回路１０から着信表示信号などの各種表示信号が与えられるようになっており、それら各種表示信号が与えられたことに応じて、着信メッセージなどの各種表示メッセージを表示するようになっている。
【００２０】
キー操作部３は、各種キーのうちのいずれかのキーが操作されたことに応じて、キー操作検出信号を制御回路１０に出力するようになっており、このとき、制御回路１０は、キー操作部３から与えられたキー操作検出信号を解読して識別するようになっている。
【００２１】
バイブレータ８は、制御回路１０から駆動信号が与えられ、その駆動信号が与えられたことに応じて駆動するようになっており、このバイブレータ８が駆動することによって、筐体２が振動するようになっている。
【００２２】
タッチセンサ９は、使用者が所定のキー操作を行うことによって、有効状態あるいは無効状態のいずれかに設定されるようになっている。そして、このタッチセンサ９は、有効状態に設定されていることを条件とし、使用者が筐体２のグリップ部２ａを握って電極９ａおよび９ｂに触れたときに、それら電極９ａおよび９ｂ間に人体を介して微弱電流が流れるようになっている。そして、このとき、制御回路１０は、その微弱電流を検出することによって、タッチセンサ９がオン（作動）したことを識別するようになっている。
【００２３】
次に、上記構成の作用について、図３に示すフローチャートを参照して説明する。尚、使用者は、例えば会議室、美術館、映画館など鳴音が好まれない場所にいるものとする。また、制御回路１０は、電源が投入されていて発信ならびに着信を待機している状態にあり、タッチセンサ９は、有効状態に設定されており、その状態から、着信した場合について説明する。
【００２４】
まず、基地局から送信された着信信号がアンテナ７で受信され、送受信部１３から制御回路１０に着信検出信号が与えられると、制御回路１０は、ステップＳ１で「ＹＥＳ」と判断し、使用者が着信に対して応答したか否かを判断する（ステップＳ２）。
【００２５】
さて、この状態では、スピーカ６から着信音が鳴っていなく、また、バイブレータ８が駆動していないので、使用者は、着信したことを認識できず、つまり、着信に対して応答することができない。したがって、制御回路１０は、ステップＳ２で「ＮＯ」と判断する。
【００２６】
次いで、制御回路１０は、タッチセンサ９が有効状態に設定されているか否かを判断する（ステップＳ３）。この場合、タッチセンサ９は、有効状態に設定されているので、制御回路１０は、ステップＳ３で「ＹＥＳ」と判断し、タッチセンサ９がオンしているか否かを判断する（ステップＳ４）。この状態では、上述したように、使用者は、着信したことを認識していないため、筐体２のグリップ部２ａを握ったりすることはなく、したがって、制御回路１０は、ステップＳ４で「ＮＯ」と判断する。
【００２７】
そして、制御回路１０は、着信したときに、スピーカ６から着信音が鳴るように設定されているか否か、つまり、鳴音動作が有効状態に設定されているか否かを判断する（ステップＳ５）。このとき、鳴音動作が有効状態に設定されていれば、制御回路１０は、ステップＳ５で「ＹＥＳ」と判断して、あらかじめ設定された音量でスピーカ６から着信音を鳴らす（ステップＳ６）。
【００２８】
次いで、制御回路１０は、着信したときに、バイブレータ８が駆動して筐体２が振動するように設定されているか否か、つまり、振動動作が有効状態に設定されているか否かを判断する（ステップＳ７）。このとき、振動動作が有効状態に設定されていれば、制御回路１０は、ステップＳ７で「ＹＥＳ」と判断して、バイブレータ８を駆動させて筐体２を振動させ（ステップＳ８）、ステップＳ２に戻る。このようなステップＳ５〜Ｓ８の処理によって、使用者は、着信したことを認識することができる。
【００２９】
尚、この場合、使用者は、着信を認識する方法として、上述した鳴音動作および振動動作のうちのいずれか一方のみを有効状態に設定しても良いし、両方を有効状態に設定しても良く、使用環境に応じてあらかじめ設定しておけば良いものである。
【００３０】
さて、着信を認識した使用者は、上述したように、鳴音が好まれない状況にいるので、着信音を消去するか、あるいは音量を下げる必要がある。すなわち、使用者は、着信音を消去するか音量を下げるために、例えば「ダウンスクロール」キー３ｌを操作する必要があるが、映画館などでは周囲が暗く、その操作は、容易ではない。しかしながら、着信音が鳴り続けていては、周囲に対して多大な迷惑がかかることになり、また、着信音が鳴っていなくても、バイブレータ８が駆動し続けていては、電力が無駄に消費されてしまうことになる。
【００３１】
そこで、いま、使用者が、何らキー操作を行わずに、筐体２のグリップ部２ａを握った場合について考える。使用者が筐体２のグリップ部２ａを握ってタッチセンサ９に触れると、このとき、タッチセンサ９は有効状態に設定されているので、電極９ａおよび９ｂ間に人体を介して微弱電流が流れるようになる。これによって、制御回路１０は、ステップＳ２で「ＮＯ」と判断し、ステップＳ３で「ＹＥＳ」と判断し、さらに、ステップＳ４で「ＹＥＳ」と判断する。
【００３２】
そして、制御回路１０は、上述したステップＳ５と同様にして、着信に対する鳴音動作が有効状態に設定されているか否かを判断する（ステップＳ９）。つまり、鳴音動作が有効状態に設定されていれば、上述したステップＳ６の処理によって、スピーカ６から着信音が鳴っているので、制御回路１０は、ステップＳ９で「ＹＥＳ」と判断し、その鳴音動作を無効状態にして、着信音を消去する（ステップＳ１０）。
【００３３】
次いで、制御回路１０は、上述したステップＳ７と同様にして、着信に対する振動動作が有効状態に設定されているか否かを判断する（ステップＳ１１）。つまり、振動動作が有効状態に設定されていれば、上述したステップＳ８の処理によって、バイブレータ８が駆動して筐体２が振動しているので、制御回路１０は、その振動強度を下げて、着信時の振動強度よりも小さい（微弱な）振動強度でバイブレータ８を振動させる（ステップＳ１３）。また、振動動作が無効状態に設定されていれば、制御回路１０は、ステップＳ１１で「ＮＯ」と判断して、振動動作を有効状態に設定し（ステップＳ１２）、上記したステップＳ１３の処理を行い、ステップＳ２に戻る。
【００３４】
そして、使用者が、通話ができるような場所に移動し、着信に対して応答するために、例えば「開始」キー２ａを操作すると、制御回路１０は、ステップＳ２において「ＹＥＳ」と判断し、通話処理を実行する（ステップＳ１４）。
【００３５】
このように第１実施例においては、着信したときに使用者が筐体２のグリップ部２ａを握ってタッチセンサ９に触れると、着信音が鳴っていれば、その着信音が消去され、筐体２が振動していれば、その振動強度が弱められ、また、筐体２が振動していなければ、微弱な振動が開始されるように構成した。これにより、例えば会議室、美術館、映画館など鳴音が好まれない状況で着信し、着信音が鳴ってしまった場合であっても、使用者は、筐体２のグリップ部２ａを握ることによって、着信音を容易に消去することができ、また、着信音を消去した後においても、筐体２の微弱な振動によって着信を認識し続けることができ、したがって、使い勝手の向上を図ることができる。
【００３６】
また、このとき、バイブレータ８の駆動による筐体２の振動強度は、あらかじめ設定された着信時における振動強度よりも小さいので、電力が無駄に消費されることはなく、消費電力の低減を図ることができる。特に、着信時にスピーカ６による報知動作およびバイブレータ８の駆動による報知動作の双方を行う場合には、それらが同時に動作する時間を短くすることができるので、消費電力の低減をより一層図ることができる。
【００３７】
次に、本発明の第２実施例について、図４を参照して説明する。尚、第１実施例と同一部分には同一のステップ番号を付与して説明を省略し、以下、異なる部分について説明する。
【００３８】
この第２実施例においては、使用者が筐体２のグリップ部２ａを握ってタッチセンサ９に触れたときに、着信音が鳴っていれば、その着信音を消去する第１実施例とは異なり、その着信音の音量を下げるように処理するものである。すなわち、制御回路１０は、着信に対する鳴音動作が有効状態に設定されているか否かを判断し（ステップＳ９）、鳴音動作が有効状態に設定されていれば、音量を下げて、着信時の音量よりも小さい（微弱な）音量で鳴音させ（ステップＳ２２）、また、鳴音動作が無効状態に設定されていれば、鳴音動作を有効状態に設定し（ステップＳ２１）、上記したステップＳ２２の処理を行う。
【００３９】
この第２実施例においても、上述した第１実施例と同様の作用効果を得ることができる。特に、この場合は、微弱な振動に加えて、微弱な音量で鳴音するので、着信をより確実に認識し続けることができる。
【００４０】
本発明は、上記実施例にのみ限定されるものでなく、次のように変形または拡張することができる。
携帯電話機としては、ＰＨＳ（Personal Handyphone System（簡易型携帯電話機））でもよい。
【図面の簡単な説明】
【図１】本発明の第１実施例を示すブロック構成図
【図２】外観斜視図
【図３】フローチャート
【図４】本発明の第２実施例を示すフローチャート
【符号の説明】
図面中、１は携帯電話機、２は筐体、２ａはグリップ部、６はスピーカ（鳴音手段）、８はバイブレータ（振動手段）、９はタッチセンサ（人体接触検出手段）、１０は制御回路（制御手段）、１３は送受信部（着信検出手段）である。
【図１】
0003791143.tif 000002
【図２】
0003791143.tif 000003
【図３】
0003791143.tif 000004
【図４】
0003791143.tif 000005